(57)【要約】【課題】操作者が動作設定の内容を確認するための操作の操作性を向上させる。【解決手段】タッチ入力が可能な操作パネルを有する画像形成装置は、第１操作キーを有する第１操作画面を操作パネルのタッチ入力面上に表示する画面表示手段と、第１操作キーがタッチされたときに、第１操作画面を部分的に隠して動作設定の内容を示す確認用画面を表示する第１ウィンドウ表示手段と、確認用画面を表示しているタッチ入力面が非タッチ状態になったときに、確認用画面に代えて、確認用画面によって示される動作設定の内容を変更する操作を可能にする第２操作画面を表示する第２ウィンドウ表示手段と、を備える。【選択図】図４
2012008626.tif 000002
【特許請求の範囲】
【請求項１】
タッチ入力が可能な操作パネルを有する画像形成装置であって、
第１操作キーを有する第１操作画面を前記操作パネルのタッチ入力面上に表示する画面表示手段と、
前記第１操作キーがタッチされたときに、前記第１操作画面を部分的に隠して動作設定の内容を示す確認用画面を表示する第１ウィンドウ表示手段と、
前記確認用画面を表示している前記タッチ入力面が非タッチ状態になったときに、前記確認用画面に代えて、前記確認用画面によって示される動作設定の内容を変更する操作を可能にする第２操作画面を表示する第２ウィンドウ表示手段と、を備える
ことを特徴とする画像形成装置。
【請求項２】
タッチ入力が可能な操作パネルを有する画像形成装置であって、
動作設定の項目を選択するための複数の選択キーを互いに隣接させて前記操作パネルのタッチ入力面の一端側に配置する第１操作画面を前記タッチ入力面上に表示する画面表示手段と、
前記複数の選択キーのいずれかがタッチされたときに、残りの選択キーの視認が可能なように前記第１操作画面を部分的に隠す画面であって、タッチされた選択キーに対応付けられている項目についての動作設定の内容示す画面である確認用画面を表示する前記第１ウィンドウ表示手段と、
前記確認用画面を表示している前記タッチ入力面が非タッチ状態になったときに、前記確認用画面に代えて、前記確認用画面によって示される動作設定の内容を変更する操作を可能にする第２操作画面を表示する第２ウィンドウ表示手段と、を備える
ことを特徴とする画像形成装置。
【請求項３】
前記第２ウィンドウ表示手段は、前記複数の選択キーのうちの一つに対応する確認用画面を表示している前記タッチ入力面が非タッチ状態にならないで、タッチ位置が当該一つの選択キーの配置位置から他の選択キーの配置位置へ移動したときに、表示中の確認用画面に代えて、移動先の選択キーに対応付けられている別の確認用画面を表示する
請求項２記載の画像形成装置。
【請求項４】
前記複数の選択キーにそれぞれ対応する複数の確認用画面のうちの少なくとも一つは、動作設定の選択肢を示す複数のアイコンを有しており、
前記第１ウィンドウ表示手段は、前記複数のアイコンのうちの選択されている動作設定に該当するアイコンを残りのアイコンよりも目立たせる強調表示をする
請求項３記載の画像形成装置。
【請求項５】
前記複数のアイコンを有した確認用画面に代えて第２ウィンドウ表示手段によって表示される第２操作画面では、前記複数のアイコンが操作キーとして配置される
請求項４記載の画像形成装置。
【請求項６】
前記複数の選択キーにそれぞれ対応する複数の第２操作画面のうちの少なくとも一つは、動作設定の選択肢にそれぞれ対応した複数の操作キーを有しており、
前記第１ウィンドウ表示手段は、前記複数の操作キーを有した第２操作画面に対応した選択キーがタッチされたときに、当該第２操作画面のうちの選択されている動作設定に該当する操作キーを含む一部分に対応しかつ当該一部分内の操作キーを動作設定の選択肢を示すアイコンに置き換えた画像を、確認用画面として表示する
請求項１ないし５のいずれかに記載の画像形成装置。
【請求項７】
タッチ入力が可能な操作パネルを有する画像形成装置の操作制御方法であって、
前記操作パネルにおける画面表示を制御するコントローラが、
第１操作キーを有する第１操作画面を前記操作パネルのタッチ入力面上に表示し、
前記第１操作キーがタッチされたときに、前記第１操作画面を部分的に隠して動作設定の内容を示す確認用画面を表示し、
前記確認用画面を表示している前記タッチ入力面が非タッチ状態になったときに、前記確認用画面に代えて、前記確認用画面によって示される動作設定の内容を変更する操作を可能にする第２操作画面を表示する
ことを特徴とする操作制御方法。
【請求項８】
タッチ入力が可能な操作パネルを有する画像形成装置において実行されるコンピュータプログラムであって、
前記画像形成装置に備わるコンピュータによって実行されたときに、
第１操作キーを有する第１操作画面を前記操作パネルのタッチ入力面上に表示するステップと、
前記第１操作キーがタッチされたときに、前記第１操作画面を部分的に隠して動作設定の内容を示す確認用画面を表示するステップと、
前記確認用画面を表示している前記タッチ入力面が非タッチ状態になったときに、前記確認用画面に代えて、前記確認用画面によって示される動作設定の内容を変更する操作を可能にする第２操作画面を表示するステップとを、前記コンピュータに実現させる
ことを特徴とするコンピュータプログラム。
【発明の詳細な説明】
【技術分野】
【０００１】
本発明は、操作パネルによる操作に応じた動作をする画像形成装置、画像形成装置の操作のための操作制御方法およびコンピュータプログラムに関する。画像形成装置には、複写機、複合機と呼ばれる多機能周辺機器（ＭＦＰ：Multifunction Peripherals）、およびプリンタが含まれる。
【背景技術】
【０００２】
近年の多機能化した画像形成装置は、操作のためのマンマシンインタフェースとしてタッチパネルを備えている。ここでいうタッチパネルは、画面表示の可能なディスプレイとタッチ式ポインティングデバイスとを組み合わせた装置である。透光性のポインティングデバイスはディスプレイの前面に密着し、タッチパネルの表面は表示面とタッチ入力面とを兼ねている。
【０００３】
タッチパネルによる操作画面の表示に関して、表示中の操作画面に重ねて表示中の操作画面よりも小さい別の画面（ウィンドウと呼ばれる）を表示する技術がある。例えば、動作設定の項目を選択するための複数の項目選択キーを有する操作画面において、ユーザーが項目選択キーの一つを操作したときに、該当する項目の詳細な設定のためのウィンドウを開くユーザーインタフェースが採用されている。
【０００４】
また、操作者がタッチしたままタッチ位置を移動させる操作、すなわちタッチ入力面をなぞるように手を動かす操作（以下、これをスライド操作という）を受け付ける技術がある。特許文献１には、操作画面のタッチされた付近の部分を拡大表示し、スライド操作に合わせて拡大する部分を切り替える表示装置が開示されている。特許文献２には、タッチ位置の移動方向を判定し、移動方向に沿って移動した先に存在する操作ボタンが操作されると予測する操作装置が記載されている。
【先行技術文献】
【特許文献】
【０００５】
【特許文献１】特開２００９−１８７０５７号公報
【特許文献２】特開２００８−２１０９４号公報
【発明の概要】
【発明が解決しようとする課題】
【０００６】
画像形成装置のユーザーは動作設定の内容の詳細を確認する際に面倒な操作を行わなければならなかった。すなわち、多数の項目の設定内容を確認する場合に、一つのウィンドウを表示させて（開いて）該当する項目の設定内容を確認し、内容を了解したことを入力するためのキー（これをＯＫキーという）にタッチしてウィンドウを閉じ、他のウィンドウを開く、という操作手順を繰り返す必要があった。また、ウィンドウが開いているときに誤って意図しない設定変更をしないように注意が必要であることも操作を面倒にする一因となっていた。
【０００７】
そこで、動作設定のための操作画面とは別に、ユーザーが設定内容を確認するための確認専用の画面を設けることが考えられる。しかし、そうすると、ある項目については確認し、他の項目については設定を変更するという場合に、確認専用の画面を表示させたり設定用のウィンドウを表示させたりすることになり、操作が煩雑になる。
【０００８】
本発明は、このような事情に鑑み、操作者が動作設定の内容を確認するための操作の操作性を向上させることを目的としている。
【課題を解決するための手段】
【０００９】
上記目的を達成する装置は、タッチ入力が可能な操作パネルを有する画像形成装置であって、第１操作キーを有する第１操作画面を前記操作パネルのタッチ入力面上に表示する画面表示手段と、前記第１操作キーがタッチされたときに、前記第１操作画面を部分的に隠して動作設定の内容を示す確認用画面を表示する第１ウィンドウ表示手段と、前記確認用画面を表示している前記タッチ入力面が非タッチ状態になったときに、前記確認用画面に代えて、前記確認用画面によって示される動作設定の内容を変更する操作を可能にする第２操作画面を表示する第２ウィンドウ表示手段と、を備える。
【発明の効果】
【００１０】
本発明によれば、操作者は第１操作画面内の第１操作キーに指やスタイラス棒でタッチして確認用画面を表示させた後、指やスタイラス棒をタッチ入力面から離すまで、表示され続ける動作設定の内容を確認することができる。指やスタイラス棒を離せば、第２操作画面によって動作設定の内容を変更することができる。
【００１１】
請求項３の発明によれば、一つの選択キーにタッチし、指やスタイラス棒をタッチ入力面から離さずに他の選択キーへタッチ位置を移動させることにより、各選択キーに対応する確認用画面を順に表示させて動作設定の内容を確認することができる。
【図面の簡単な説明】
【００１２】
【図１】画像形成装置の外観の一例を示す図である。
【図２】画像形成装置のハードウェア構成を示す図である。
【図３】操作パネルの構成の一例を示す図である。
【図４】画像形成装置の要部の機能構成を示す図である。
【図５】画像形成装置の動作の概要を示すメインルーチンのフローチャートである。
【図６】入力ルーチンのフローチャートである。
【図７】タッチ入力処理ルーチンのフローチャートである。
【図８】タッチ入力オフ処理ルーチンのフローチャートである。
【図９】第１操作画面の構成を示す図である。
【図１０】確認用画面の構成の第１例を示す図である。
【図１１】確認用画面におけるアイコンの強調表示の一例を示す図である。
【図１２】第２操作画面の構成の第１例を示す図である。
【図１３】確認用画面の構成の第２例を示す図である。
【図１４】確認用画面におけるアイコンの強調表示の他の例を示す図である。
【図１５】確認用画面の表示の変形例を示す図である。
【図１６】第２操作画面の構成の第２例を示す図である。
【発明を実施するための形態】
【００１３】
図１に例示される画像形成装置１はカラー印刷の可能な複合機（ＭＦＰ）である。画像形成装置１は、基本機能であるコピーおよびネットワークプリンティングに加えて、イメージ入力、ファクシミリ通信、メール送受信、ドキュメントの保存などの種々の機能を有する。画像形成装置１のユーザーは、画像形成装置１の上部に設けられた操作パネル２０を用いて、機能の選択や動作設定の内容の指定を行うことができる。
【００１４】
図２のように、画像形成装置１は、操作パネル２０、イメージスキャナ２１、プリンタ２２、用紙ストッカ２３、制御回路２５、画像処理回路２６、ストレージ２７、通信インタフェース２８、および外部接続インタフェース３０を備える。操作パネル２０はタッチ入力を可能にするタッチパネル２０１を有している。イメージスキャナ２１は原稿に記録されている画像情報を光学的に読み取る。プリンタ２２は、多段形式の用紙ストッカ２３から供給される用紙の片面または両面にモノクロまたはカラーの画像を印刷する。制御回路２５は、制御プログラムを記憶するＲＯＭ２５１、制御プログラムを実行するＣＰＵ(central processing unit)２５２、およびプログラム実行のためのＲＡＭ２５３を有する。ＲＡＭ２５３は、ワークエリアとされるＳ−ＲＡＭと各種の設定を記憶するバッテリバックアップされたＮＶ−ＲＡＭ（不揮発性メモリ）とを含む。画像処理回路２６はイメージスキャナ２１の出力データの補正や印刷時のビットマップ展開を含む種々の画像処理を担う。ストレージ２７はハードディスクドライブのような大容量記憶デバイスである。ストレージ２７には、画像形成装置１の制御に係わるデータを記憶するメモリ領域とともに、各種ドキュメントのファイルを保存するメモリ領域（いわゆるボックス）が設けられる。通信インタフェース２８は、公衆回線を用いるファクシミリ通信を可能にする。外部接続インタフェース３０は、画像形成装置１と図示しないネットワークとを接続し、ＬＡＮ(Local Area Network)通信を可能にする。
【００１５】
図３のように、操作パネル２０にはタッチパネル２０１のタッチ入力面２０２と複数の固定キー（ハードキー）とが配置されている。タッチ入力面２０２には、タッチパネル２０１に備わるディスプレイ（例えば、液晶ディスプレイ）によってソフトキーを有した操作画面が表示される。例示における固定キーは、数値入力のためのテンキー６０、ユーザーがジョブの実行を開始させるためのスタートキー６１、および実行中のジョブを停止させるためのストップキー６１である。
【００１６】
図４は、操作パネル２０のコントローラとしての制御回路２５の機能構成を示す。制御回路２５は、タッチ入力処理部５０１、画面表示部５０２、第１ウィンドウ表示部５０３、第２ウィンドウ表示部５０４、および設定管理部５０５を有する。これら要素は、コンピュータとしてのＣＰＵ２５２が操作制御プログラムを実行することによって実現される機能要素である。
【００１７】
タッチ入力処理部５０１は、タッチ入力面２０２による操作を受け付ける。操作者が例えば指でタッチ入力面２０２にタッチすると、タッチ入力処理部５０１はタッチ位置の座標から操作の内容を判別し、判別結果をそれを必要とする画面表示部５０２、第１ウィンドウ表示部５０３、または第２ウィンドウ表示部５０４に伝える。
【００１８】
画面表示部５０２は、少なくとも一つの操作キーを有する第１操作画面Ｑをタッチ入力面２０２上に表示する。第１操作画面Ｑはタッチ入力面２０２のほぼ全域にわたる画像である。第１操作画面Ｑは画面表示の階層における最上位画面であってもよいし、最上位画面から操作に従って切り替えられた画面であってもよい。
【００１９】
第１ウィンドウ表示部５０３は、第１操作画面Ｑの第１操作キーがタッチされたときに、第１操作画面Ｑを部分的に隠して動作設定の内容を示す確認用画面Ｗ１を表示する。第１操作画面Ｑがタッチ入力面２０２の全域にわたるので、必然的に確認用画面Ｗ１の面積は第１操作画面Ｑの面積よりも小さい。すなわち、確認用画面Ｗ１は第１操作画面Ｑの表示領域内に配置されるウィンドウである。
【００２０】
第２ウィンドウ表示部５０４は、確認用画面Ｗ１を表示しているタッチ入力面２０２が非タッチ状態になったときに、確認用画面Ｗ１によって示される動作設定の内容を変更する操作を可能にする第２操作画面Ｗ２を、確認用画面Ｗ１に代えて表示する。第２操作画面Ｗ２も第１操作画面Ｑの表示領域内に配置されるウィンドウである。
【００２１】
以下において、確認用画面Ｗ１または第２操作画面Ｗ２を「表示すること」を「開く」と表現し、「非表示にすること」を「閉じる」と表現することがある。
【００２２】
設定管理部５０５は、第２操作画面Ｗ２による操作に従って動作設定を更新する。動作設定の更新は設定データＤ１を書き換えることで完結するが、リアルタイム処理で設定データＤ１を書き換える必要はない。例えば、操作内容を一時記憶しておき、第２操作画面Ｗ２に設けられるＯＫキーがタッチされたときに設定データＤ１を書き換えてもよい。すなわち、更新後の設定をジョブの実行に反映させることができる範囲内の適時に設定データＤ１を書き換えればよい。設定データＤ１は確認用画面Ｗ１の表示に反映される。
【００２３】
図５のフローチャートは画像形成装置１の動作の概要を示す。画像形成装置１の制御を担う上述のＣＰＵ２５２は、電源投入またはリセット操作に呼応して初期化処理を実行する（Ｓ１００）。初期化処理を終えると、ＣＰＵ２５２はルーチンの実行周期を決めるタイマーをスタートさせ（Ｓ２００）、入力（Ｓ３００）、全体制御（Ｓ４００）、読取り（Ｓ５００）、および印刷（Ｓ６００）の各ルーチンを順に実行し、タイマーの終了を待つ（Ｓ７００）。タイマーが終了すると、ＣＰＵ２５２は再びタイマーをスタートさせて以前と同じ順序でＳ２００〜Ｓ７００のルーチンを実行する。電源オン状態においてＳ２００〜Ｓ７００のルーチンが繰り返し実行される。
【００２４】
入力ルーチン（図５のＳ３００）の処理が図６に示される。入力ルーチンでは、操作パネル２０による入力が受け付けられる。入力ルーチンを実行するＣＰＵ２５２は、上述のタッチ入力処理部５０１、画面表示部５０２、第１ウィンドウ表示部５０３、第２ウィンドウ表示部５０４、および設定管理部５０５として機能する。
【００２５】
図６のとおり、タッチ入力がなく（Ｓ３０１でＮＯ）、かつ前回の入力が「あり」でなければ（Ｓ３０５でＮＯ）、処理フローはメインルーチンにリターンし、入力ルーチンは実質的にスルーとなる。何らかのタッチ入力操作があれば（Ｓ３０１でＹＥＳ）、以下のように入力に応じた処理が実行される。
【００２６】
タッチ入力があったとき（Ｓ３０１でＹＥＳ）、ＣＰＵ２５２はタッチ位置の座標を取得し（Ｓ３０２）、前回の入力を「あり」に更新し（Ｓ３０３）、確認用画面Ｗ１を表示するタッチ入力処理（Ｓ３０４）を実行する。
【００２７】
タッチ入力はなく前回の入力が「あり」である場合（Ｓ３０５でＹＥＳ）、すなわち前回のメインルーチンの実行から今回の実行までの間にタッチ状態から非タッチ状態へ変化した場合、ＣＰＵ２５２は前回の入力を「なし」に更新し（Ｓ３０６）、確認用画面Ｗ１に代えて第２操作画面Ｗ２を表示するタッチ入力オフ処理（Ｓ３０７）を実行する。
【００２８】
タッチ入力処理（図６のＳ３０４）の流れが図７に示される。
【００２９】
ＣＰＵ２５２は、動作設定の項目を選択するための選択キーを第１操作キーとして有した第１操作画面Ｑが表示されている状態において、取得した座標から選択キーへタッチであるかどうかを判定する（Ｓ３１０）。選択キーへのタッチでなければ（Ｓ３１０でＮＯ）、ＣＰＵ２５２はその他の処理（Ｓ３１５）を実行してメインルーチンへリターンする。選択キーへのタッチであれば（Ｓ３１０でＹＥＳ）、ＣＰＵ２５２は、タッチされた選択キーに対応する動作設定の項目を制御用テーブルから取得し（Ｓ３１１）、さらに動作設定の項目に対応する確認用画面Ｗ１が表示中かどうかをチェックする（Ｓ３１２）。確認用画面Ｗ１が表示中であればリターンする。確認用画面Ｗ１が表示中でない場合（Ｓ３１２でＮＯ）、ＣＰＵ２５２は、確認用画面Ｗ１の表示条件を設定して確認用画面Ｗ１を表示する（Ｓ３１３、Ｓ３１４）。
【００３０】
設定される表示条件は次の（１）〜（５）である。
（１）確認用画面Ｗ１に置き換わる第２操作画面で表示する操作キーを、その操作が無効になる詳細設定内容を示すだけのアイコンとする（操作の禁止）。
（２）現在の動作設定の内容に該当するアイコンを強調表示する。
（３）表示すべき情報に応じて画面の表示範囲を限定する。
（４）誤操作を防ぐためにＯＫキーを表示しない。
（５）誤操作を防ぐためにキャンセルキーを表示しない。
【００３１】
タッチ入力オフ処理（図６のＳ３０７）の流れが図８に示される。
【００３２】
ＣＰＵ２５２は、確認用画面Ｗ１が表示中である場合（Ｓ３３０でＹＥＳ）、動作設定の項目を取得し（Ｓ３３１）、第２操作画面Ｗ２の表示条件を設定し（Ｓ３３２）、第２操作画面Ｗ２を表示する（Ｓ３３３）。
【００３３】
設定される表示条件は次の（１）〜（５）である。
（１）操作キーの操作を有効にする（操作の許可）。
（２）現在の動作設定の内容に該当するキーを強調表示する。
（３）表示すべき情報に応じて画面の表示範囲を限定する。
（４）ＯＫキーを表示する。
（５）キャンセルキーを表示する。
【００３４】
以下、画面構成の具体例を参照して画像形成装置１の動作をさらに詳しく説明する。
【００３５】
図９に示される操作画面Ｑ１は第１操作画面Ｑの一例である。操作画面Ｑ１は、メッセージ表示領域７９、およびコピー動作に関わる複数の設定項目から設定操作の対象を選択するための六つの選択キーを有している。詳しくは、原稿画質キー８１、カラーモードキー８２、濃度キー８３、用紙サイズキー８４、ズーム倍率キー８５、両面／ページ集約キー８６、および仕上げキー８７が操作画面Ｑ１の選択キーである。これら選択キー８１〜８７は、それぞれに対応づけられたウィンドウ（確認用画面Ｗ１および第２操作画面Ｗ２）を呼び出す第１操作キーであり、ウィンドウを表示する領域を確保するように操作画面Ｑ１の下端部に横一列に並べて配置されている。このような操作画面Ｑ１がタッチ入力面２０２に表示されたとき、第１操作キーはタッチ入力面２０２における上下方向の一端側（下側部）に位置する。
【００３６】
図示の例では、操作者がズーム倍率キー８５を指Ｆで押下しようとしている。そして、この時点でのコピー倍率の設定値が「１００％（等倍）」であるものとする。操作者がズーム倍率キー８５にタッチすると、図１０のとおり残りの選択キー８１〜８４，８６，８７を操作者が視認することができるように確認用画面Ｗ１１が表示される。
【００３７】
図１０において、確認用画面Ｗ１１は、用紙サイズに基づく標準的なコピー倍率の選択肢を表す九つのアイコンの配列９０を有している。これらアイコンは、後述の第２操作画面Ｗ２１における操作キーに対応するが、確認用画面Ｗ１１では上述の表示条件（１）のとおりタッチ入力が受け付けられないので、操作キーとしての機能を有していない。
【００３８】
確認用画面Ｗ１１では、タッチ入力が受け付けられないことにより、操作者の意図しない設定変更が生じない。詳しくは次のとおりである。九つのアイコンの配列９０は確認用画面Ｗ１１から第２操作画面Ｗ２１に切り替わった後の操作性を考慮して、第１操作画面Ｑ１のキー８１〜８７の近傍に横一列に並べて配置される。確認用画面Ｗ１１が開いた状態において、操作者の指Ｆはズーム倍率キー８５にタッチしている。しかし、操作者の指Ｆに最も近い真上のアイコンは現在の設定値に対応したアイコン（１００％）ではなく、倍率１１５．４％に対応したアイコンである。このため、操作者が誤って指Ｆを真上にずらして倍率１１５．４％のアイコンにタッチしてしまうことが起こり得る。このような事態が起こっても、倍率１１５．４％のアイコンへのタッチは受け付けられず、倍率１００％の設定内容が維持される。
【００３９】
また、確認用画面Ｗ１１では、操作者が現在の設定値を容易に確認できるように、現在の設定値に対応したアイコンの下地色を他のアイコンと異ならせる強調表示が行われる。強調表示の方法は色の選定に限らず、例えば図１１のように明るいアイコン９１５ａと暗いアイコン９１５ｂとを交互に表示して点滅させる方法でもよい。アイコンの大きさを周期的に切り替えてもよい。
【００４０】
確認用画面Ｗ１１が開いた状態において、操作者が指Ｆをタッチ入力面から離すと、図１２のように第２操作画面Ｗ２１が表示される。
【００４１】
図１２において、第２操作画面Ｗ２１は、用紙サイズに基づく標準的なコピー倍率の選択肢に対応した九つの操作キーの配列１００を有している。また、第２操作画面Ｗ２１は２５〜４００％の範囲内で任意のコピー倍率を指定するためのキーや他のキーとともに、ＯＫキー３０１およびキャンセルキー３０３を有している。ＯＫキー３０１およびキャンセルキー３０３を有することを除いて、第２操作画面Ｗ２１の図柄は確認用画面Ｗ１１の図柄と同様である。配列１００として横一列に並ぶ操作キーは、確認用画面Ｗ１１における配列９０のアイコンに対応する。
【００４２】
第２操作画面Ｗ２１が開いた状態において、操作者は所望のコピー倍率を指定することができる。設定を変更する操作をしてＯＫキー３０１にタッチすれば、第２操作画面Ｗ２１が閉じ、操作の内容が動作設定に反映される。設定を変更する操作をした後にキャンセルキー３０３にタッチすれば、設定の変更が無効となる。この場合も第２操作画面Ｗ２１が閉じ、タッチ入力面は操作画面Ｑ１のみが表示される図９の状態に戻る。
【００４３】
一方、図１０のように確認用画面Ｗ１１が開いた状態において、操作者が指Ｆ（タッチ位置）をタッチパネルから離さずにズーム倍率キー８５から他の選択キーの配置位置までスライドさせると、表示中の確認用画面Ｗ１１に代えて、スライド後のタッチ位置の座標に該当する選択キーに対応した確認用画面が表示される。例えばスライド後のタッチ位置が用紙サイズキー８４に該当する場合、図１３のように確認用画面Ｗ１２が表示される。
【００４４】
図１３において、確認用画面Ｗ１２は、現在の設定値（例示ではトレイ１のＡ４サイズ）を示すアイコン９２４を含むアイコン群９２を有している。アイコン９２４は設定値として選択されていない他の選択肢を示すアイコンよりも大きく表示されている。強調表示の方法は大きさの選定に限らず、例えば図１４のように大きいアイコン９２４ａとそれより小さいアイコン９２４ｂとを交互に表示する方法でもよい。色を異ならせたり輝度を周期的に切り替えたりしてもよい。
【００４５】
図１５は確認用画面の表示の変形例を示す。図１５の確認用画面Ｗ２１ｂは、図１３の確認用画面Ｗ２１の一部分に相当する。確認用画面Ｗ２１ｂは、現在の設定値を示すアイコン９２４を表示し、設定値として選択されていない他の選択肢を示すアイコンの表示を省略するものである。設定の選択肢がどのようなものかを操作者が知るには図１３の確認用画面Ｗ２１が有用であるが、現在の設定値を知りたい操作者は確認用画面Ｗ２１ｂから必要な情報を得ることができる。上述の表示条件（３）によって確認用画面Ｗ２１が表示されるか確認用画面Ｗ２１ｂが表示されるかが決まる。
【００４６】
確認用画面Ｗ２１ｂのように情報を限定して表示することにより、表示のためのビットマップ描画の処理の負担を軽減して表示を高速化し、画面の切り替えを素早くすることができる。操作者が多数の項目について設定内容を確認しようとして操作画面Ｑ１の下端部で指Ｆをスライドさせて項目選択のためのキー８１〜８７を次々にタッチする場合に、確認作業を急ぐ操作者にとって快適なユーザーインタフェースを提供することができる。
【００４７】
図１３の確認用画面Ｗ２１または図１５の確認用画面Ｗ２１ｂが開いた状態で、操作者が指Ｆをタッチ入力面から離すと、図１６のように第２操作画面Ｗ２２が表示される。
【００４８】
図１６において、第２操作画面Ｗ２２は、用紙サイズの選択肢に対応した操作キー群１２０とともに、ＯＫキー３０１およびキャンセルキー３０３を有している。ＯＫキー３０１およびキャンセルキー３０３を有することを除いて、第２操作画面Ｗ２２の図柄は確認用画面Ｗ１２の図柄と同様である。操作キー群１２０は、確認用画面Ｗ１２におけるアイコン群９２に対応する。
【００４９】
以上の実施形態において、確認用画面Ｗ１１，Ｗ２１，Ｗ２１ｂが開いた状態において、操作者が選択キー８１〜８７のいずれもから離れた位置でタッチ位置をスライドさせた場合に、第２操作画面Ｗ２，Ｗ２１，Ｗ２２を表示せずに操作画面Ｑ１のみの表示に戻るように表示制御を行うことができる。これにより、操作者は、最後に開いた第２操作画面を閉じるための特別の操作をせずに、設定内容をお確認する作業を終えることができる。
【００５０】
例示では、選択キー８１〜８７のうちのズーム倍率キー８５を最初に押下してスライド操作をする手順を挙げたが、操作者は選択キー８１〜８７のいずれを最初に押下しても良い。
【符号の説明】
【００５１】
１    画像形成装置
２０    操作パネル
２５    制御回路（コントローラ）
２０２    タッチ入力面
Ｑ，Ｑ１    操作画面
Ｗ１，Ｗ１１，Ｗ２１，Ｗ２１ｂ    確認用画面
Ｗ２，Ｗ２１，Ｗ２２    第２操作画面
５０２    画面表示部（画面表示手段）
５０３    第１ウィンドウ表示部（第１ウィンドウ表示手段）
５０４    第２ウィンドウ表示部（第２ウィンドウ表示手段）
８１，８２，８３，８４，８５，８６，８７    選択キー（第１操作キー）
【図１】
2012008626.tif 000003
【図２】
2012008626.tif 000004
【図３】
2012008626.tif 000005
【図４】
2012008626.tif 000006
【図５】
2012008626.tif 000007
【図６】
2012008626.tif 000008
【図７】
2012008626.tif 000009
【図８】
2012008626.tif 000010
【図９】
2012008626.tif 000011
【図１０】
2012008626.tif 000012
【図１１】
2012008626.tif 000013
【図１２】
2012008626.tif 000014
【図１３】
2012008626.tif 000015
【図１４】
2012008626.tif 000016
【図１５】
2012008626.tif 000017
【図１６】
2012008626.tif 000018